(57)【要約】  ホログラムを利用した光記録再生装置において、液晶素子は、レーザーからの光ビームを受けていると液晶が劣化してしまう、等の課題がある。また、機械的なメカニカルシャッタを用いた場合では、メカニカルシャッタ自身がイナーシャ（慣性）を持つため高速動作には適さない、という課題があった。  ホログラフィを用いて、情報を記録媒体に記録および／または記録媒体から情報を再生する光情報記録再生装置であって、レーザー光を照射するレーザー光源と、前記レーザー光源から発せられたレーザー光の透過と遮断を切替可能な、第１の遮光部と、前記第１の遮光部の透過または遮断の切替を駆動する駆動回路と、前記第１の遮光部を移動させる第１の移動部と、を備えた構成とする。
2014091571.tif 000002
【特許請求の範囲】
【請求項１】
ホログラフィを用いて、情報を記録媒体に記録および／または記録媒体から情報を再生する光情報記録再生装置であって、
レーザー光を照射するレーザー光源と、
前記レーザー光源から発せられたレーザー光の透過と遮断を切替可能な、第１の遮光部と、
前記第１の遮光部の透過または遮断の切替を駆動する駆動回路と、
前記第１の遮光部を移動させる第１の移動部と、
を備えたことを特徴とする光情報記録再生装置。
【請求項２】
請求項１に記載の光情報記録再生装置であって、
前記レーザー光源から発せられたレーザー光を遮断する第２の遮光部と、
前記第２の遮光部を移動させる第２の移動部と、
を備えたことを特徴とする光情報記録再生装置。
【請求項３】
請求項２に記載の光情報記録再生装置であって、
前記第１の遮光部として液晶素子を、第２の遮光部としてメカニカルシャッタ、を用いることを特徴とする光情報記録再生装置。
【請求項４】
請求項２に記載の光情報記録再生装置であって、
前記レーザー光を信号光と参照光に分離するスプリッタを有し、
前記第１の遮光部と前記第２の遮光部は、前記レーザー光源と前記スプリッタの間に配置されることを特徴とする光情報記録再生装置。
【請求項５】
請求項４に記載の光情報記録再生装置であって、
前記第２の遮光部は前記第１の遮光部よりも前記レーザー光源側に配置されていることを特徴とする光情報記録再生装置。
【請求項６】
請求項１に記載の光情報記録再生装置であって、
前記第１及び／または第２の移動部は、回転式の移動部であり、該移動部が回転することにより、レーザー光が遮断または透過することを特徴とする光情報記録再生装置。
【請求項７】
請求項２に記載の光情報記録再生装置であって、
前記第１の遮光部と前記第２の遮光部は同一のベースに一体的に載置され、
前記レーザー光源からのレーザーを前記第１の遮光部、もしくは前記第２の遮光部の少なくともどちらか一方に照射可能とする切替機構を備えたことを特徴とする光情報記録再生装置。
【請求項８】
請求項２に記載の光情報記録再生装置であって、
前記記録媒体に情報を記録する際は、前記第２の遮光部は前記レーザーの光路に対して退避しているとともに、前記第１の遮光部は前記レーザーの光路に対して挿入されており、前記駆動回路は、前記第１の遮光部の透過と遮断の切替を行うことを特徴とする光情報記録再生装置。
【請求項９】
請求項２に記載の光情報記録再生装置であって、
前記記録媒体から情報を再生する際は、前記第１の遮光部と前記第２の遮光部は前記レーザーの光路に対して退避していることを特徴とする光情報記録再生装置。
【請求項１０】
請求項２に記載の光情報記録再生装置であって、
前記光情報記録再生装置の電源が投入される際、前記光情報記録再生装置のスタンバイの際、または、前記光情報記録再生装置に前記記録媒体をローディングする際は、前記第２の遮光部は前記レーザーの光路に対して挿入しているとともに、前記第１の遮光部は前記レーザーの光路に対して退避されている状態であることを特徴とする光情報記録再生装置。
【請求項１１】
請求項２に記載の光情報記録再生装置であって、
前記記録媒体にキュア処理を行う際は、前記第２の遮光部は前記レーザーの光路に対して挿入しているとともに、前記第１の遮光部は前記レーザーの光路に対して挿入されている状態であることを特徴とする光情報記録再生装置。
【請求項１２】
請求項２に記載の光情報記録再生装置であって、
前記参照光の前記記録媒体への入射角度を変化させながら、前記記録媒体の同一の領域に複数のページデータを記録する際は、
前記第２の遮光部は前記レーザーの光路に対して退避しているとともに、前記第１の遮光部は前記レーザーの光路に対して挿入されており、
前記第１の遮光部が前記レーザーを透過する状態で、第１の参照光角度で第１のページデータが前記記録媒体に記録され、
前記第１の参照光角度から第２の参照光角度に変化する際は、
前記第１の遮光部は前記レーザーを遮断する状態であることを特徴とする光情報記録再生装置。
【請求項１３】
請求項１に記載の光情報記録再生装置であって、
前記参照光の前記記録媒体への入射角度を変化させながら、前記記録媒体の同一の領域に複数のページデータを記録する際は、
前記第１の遮光部は前記レーザーの光路に対して挿入されており、
前記第１の遮光部が前記レーザーを透過する状態で、第１の参照光角度で第１のページデータが前記記録媒体に記録され、
前記第１の参照光角度から第２の参照光角度に変化する際は、
前記第１の遮光部は前記レーザーを遮断する状態であることを特徴とする光情報記録再生装置。
【請求項１４】
請求項２に記載の光情報記録再生装置であって、
前記光情報記録再生装置の電源が投入される際は、前記第１の遮光部と前記第２の遮光部は前記レーザーの光路に対して挿入しているとともに、前記第１の遮光部は前記レーザーを遮断する第１の状態であり、
前記レーザー光源が安定していると判断された後は、前記第１の状態から、前記第１の遮光部と前記第２の遮光部は前記レーザーの光路に対して退避している２の状態に切替えられることを特徴とする光情報記録再生装置。
【請求項１５】
請求項２に記載の光情報記録再生装置であって、
前記第１の移動部と前記第２の移動部は共通であることを特徴とする光情報記録再生装置。
【請求項１６】
ホログラフィを用いて、情報を記録媒体に記録する光情報記録方法であって、
レーザー光を照射するステップと、
前記レーザー光を参照光と信号に分離するステップと、
前記レーザー光の透過と遮断を遮光部により切替えるステップと、
前記遮光部の透過または遮断の切替を駆動するステップと、
前記遮光部を移動させるステップと、を備え、
前記参照光の前記記録媒体への入射角度を変化させながら、前記記録媒体の同一の領域に複数のページデータを記録する際は、
前記遮光部は前記レーザーの光路に対して挿入されており、
前記遮光部が前記レーザーを透過する状態で、第１の参照光角度で第１のページデータが前記記録媒体に記録され、
前記第１の参照光角度から第２の参照光角度に変化する際は、
前記第遮光部は前記レーザーを遮断する状態であることを特徴とする光情報記録方法。
【発明の詳細な説明】
【技術分野】
【０００１】
本発明は、ホログラフィを用いて、記録媒体から情報を再生する、装置及び方法に関する。
【背景技術】
【０００２】
現在、青紫色半導体レーザーを用いた、Ｂｌｕ−ｒａｙ  Ｄｉｓｃ（ＴＭ）規格により、民生用においても５０ＧＢ程度の記録容量を持つ光ディスクの商品化が可能となってきた。今後は、光ディスクでも１００ＧＢ〜１ＴＢというＨＤＤ（Ｈａｒｄ  Ｄｉｓｋ  Ｄｒｉｖｅ）容量と同程度まで大容量化が望まれる。【０００３】
しかしながら、このような超高密度を光ディスクで実現するためには、レーザーの短波長化と対物レンズの高ＮＡ化による高密度化技術とは一線を画した異なる新しい方式による高密度化技術が必要である。【０００４】
次世代のストレージ技術に関する研究が行われる中、ホログラフィを利用してディジタル情報を記録するホログラム記録技術が注目を集めている。【０００５】
ホログラム記録技術とは、空間光変調器により２次元的に変調されたページデータの情報を有する信号光を、記録媒体の内部で参照光と重ね合わせ、その時に発生する干渉縞パターンによって記録媒体内に屈折率変調を生じさせることで情報を記録媒体に記録する技術である。【０００６】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。【０００７】
再生された信号光は、ＣＭＯＳやＣＣＤなどの光検出器（カメラ）を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。【０００８】
ホログラム記録再生技術として、例えば特開２００６−１７２５８２号公報（特許文献１）がある。本公報には、「また、半波長板２４と偏光ビームスプリッタ２６との間には記録時のビームの開閉を行うメカニカルシャッタ２５が配置されており、このメカニカルシャッタ２５の開閉のタイミングにより記録時間が決定される。」と記載されている。【０００９】
また、ホログラム記録再生技術として、例えば特開２００７−４０４１4号公報（特許文献２）がある。本公報には、「信号光１００を空間変調する空間変調器（ＳＬＭ）１３に、データ記録とデータ記録の間の期間、全ての信号光が偏光板１４で遮断されるような偏光を与えるパターンを表示する。これにより、記録と記録の間では信号光１００がホログラム記録材料５０には照射されなくなるため、ホログラム記録材料５０に無用な記録がされ続けることを防止することができる。また、この場合、空間変調器１３はシャッタとして機能しているが、動作は迅速で振動が発生しないため、正確な信号を記録することができると共に、転送レートを速くすることができる。」と記載されている。
【先行技術文献】
【特許文献】
【００１０】
【特許文献１】特開２００６−１７２５８２号公報
【特許文献２】特開２００７−４０４１号公報
【発明の概要】
【発明が解決しようとする課題】
【００１１】
ところで、特許文献１記載のような機械式のシャッタ（以下、メカニカルシャッタと記す）を使用した場合、次に述べるような課題が発生する。まず第一に、転送レートを上げるため高速にホログラムをディスクに記録しようとした際、メカニカルシャッタはそれ自身のイナーシャ（慣性）を持つため、高速動作に限界が生じてしまい、シャッタ開閉が所望のスピードに追従しなくなる。第二に、メカニカルシャッタは、高速開閉、もしくは高速退避・高速挿入動作の際に、ビーム光に対し、不要な振動を発生させる。この振動中にホログラムをディスクに記録してしまうと、記録される波面が乱れてしまい、正確な情報信号を記録することが困難になる。そのため、振動の発生が収まった後に、記録再生を開始しなければいけなくなり、高速記録対応が困難となってしまっている。最悪の場合は所望の信号を全く記録できなくなる場合も生じる。結果的に、メカニカルシャッタの開閉に時間を要するが故に、転送レートの低下に繋がってしまう。【００１２】
そこで、特許文献２では、データ記録の可否を選択するシャッタにおいて、振動の発生する場合がある機械式のメカニカルシャッタではなく、液晶表示装置および偏光板の組み合わせで適宜シャッタ機能を有する構成をとっている。【００１３】
しかしながら、液晶素子にもホログラム式の記録再生装置のシャッタとして用いる場合には以下の問題がある。第一に、液晶は寿命劣化の理由で、長時間、常時ＯＮ、あるいはＯＦＦの状態（駆動電源のＯＮ、ＯＦＦではない）に維持しておくことが液晶構造上、困難であり、シャッタ機能として長時間のＯＮ、ＯＦＦ動作ができない。【００１４】
第二に、レーザーの光ビームの光路中に液晶素子が配置され、液晶素子は光ビームを常時受けているので、液晶素子が“焼けた”状態になり、耐光性の観点で寿命の劣化が懸念される。【００１５】
そこで、本発明は、前記問題点について鑑み提案されるものであって、本発明の目的は、寿命が長く、かつ高速な記録再生を可能とするシャッタユニットを有する光情報記録再生装置、光情報記録再生方法を提供することである。
【課題を解決するための手段】
【００１６】
上記課題は、例えば特許請求の範囲に記載の発明により解決される。
【発明の効果】
【００１７】
本発明によれば、寿命が長く、かつ高速な記録再生を可能とするシャッタユニットを有する光情報記録再生装置、光情報記録再生方法をすることが出来る。
【図面の簡単な説明】
【００１８】
【図１】本発明による光情報記録再生装置ピックアップの第１の実施の形態を表す概略図である。
【図２】本発明による第1の実施の形態に係る光情報記録再生装置全体の概略を示すブロック図である。
【図３】本発明による光情報記録再生装置ピックアップの第１の実施の形態を表す概略図である。
【図４】本発明による光情報記録再生装置ピックアップの第１の実施の形態を表す概略図である。
【図５（ａ）】本発明による光情報記録再生装置ピックアップの第１の実施の形態を表す概略図である。
【図５（ｂ）】本発明による光情報記録再生装置ピックアップの第１の実施の形態を表す概略図である。
【図６】本発明による光情報記録再生装置ピックアップの第１の実施の形態を表す概略図である。
【図７】本発明による光情報記録再生装置ピックアップの第１の実施の形態を表す概略図である。
【図８】本発明による光情報記録再生装置ピックアップの第１の実施の形態を表す概略図である。
【図９】本発明による光情報記録再生装置ピックアップの第１の実施の形態を表す概略図である。
【図１０】本発明による光情報記録再生装置ピックアップの第１の実施の形態を表す概略図である。
【図１１（ａ）】本発明による光情報記録再生装置ピックアップの第２の実施の形態を表す概略図である。
【図１１（ｂ）】本発明による光情報記録再生装置ピックアップの第２の実施の形態を表す概略図である。
【図１２（ａ）】本発明による光情報記録再生装置ピックアップの第２の実施の形態を表す概略図である。
【図１２（ｂ）】本発明による光情報記録再生装置ピックアップの第２の実施の形態を表す概略図である。
【図１３（ａ）】本発明による光情報記録再生装置ピックアップの第３の実施の形態を表す概略図である。
【図１３（ｂ）】本発明による光情報記録再生装置ピックアップの第３の実施の形態を表す概略図である。
【図１４（ａ）】本発明による光情報記録再生装置ピックアップの第３の実施の形態を表す概略図である。
【図１４（ｂ）】本発明による光情報記録再生装置ピックアップの第３の実施の形態を表す概略図である。
【図１５（ａ）】本発明による光情報記録再生装置ピックアップの第３の実施の形態を表す概略図である。
【図１５（ｂ）】本発明による光情報記録再生装置ピックアップの第３の実施の形態を表す概略図である。
【図１６（ａ）】本発明による光情報記録再生装置ピックアップの第３の実施の形態を表す概略図である。
【図１６（ｂ）】本発明による光情報記録再生装置ピックアップの第３の実施の形態を表す概略図である。
【図１７（ａ）】本発明による光情報記録再生装置ピックアップの第３の実施の形態を表す概略図である。
【図１７（ｂ）】本発明による光情報記録再生装置ピックアップの第３の実施の形態を表す概略図である。
【図１８】本発明による光情報記録再生装置ピックアップの第３の実施の形態を表す概略図である。
【図１９（ａ）】光情報記録再生装置における再生の動作フローの実施の形態を示した図である。
【図１９（ｂ）】光情報記録再生装置における記録の動作フローの実施の形態を示した図である。
【図１９（ｃ）】光情報記録再生装置における再生の動作フローの実施の形態を示した図である。
【図１９（ｄ）】光情報記録再生装置における再生の動作フローの実施の形態を示した図である。
【図２０】光情報記録再生装置における記録の動作フローの実施の形態を示した図である。
【図２１】本発明による光情報記録再生装置ピックアップの第４の実施の形態を表す概略図である。
【図２２】本発明による光情報記録再生装置ピックアップの第４の実施の形態を表す概略図である。
【図２３】本発明による光情報記録再生装置ピックアップの第４の実施の形態を表す概略図である。
【図２４】光情報記録再生装置における記録の動作フローの実施の形態を示した図である。
【発明を実施するための形態】
【００１９】
以下、本発明の実施例について図面を用いて説明する。
【実施例１】
【００２０】
本発明の実施形態を添付図面にしたがって説明する。図２はホログラフィを利用してディジタル情報を記録および／または再生する光情報記録媒体を用いた光情報記録再生装置を示すブロック図である。【００２１】
光情報記録再生装置３００は、入出力制御回路３９０を介して外部記憶装置３９１と接続されている。記録する場合には、光情報記録再生装置３００は外部制御装置３９１から記録すべき情報信号を入出力制御回路３９０により受ける。また、再生する場合には光情報記録再生装置３００は再生した情報信号を入出力制御回路３９０により外部制御装置３９０に送る。【００２２】
光情報記録再生装置３００は、ピックアップ２００と、再生用参照光光学系３１２、キュア系７０、ディスク回転角度検出用光学系３１４、情報の記録媒体であるディスク５０、およびディスク５０を回転させるモータ６０、キュア系７０を示しており、ディスク５０はモータ６０によって回転可能な構成となっている。【００２３】
ピックアップ２００は、参照光と信号光をディスク５０に照射してホログラフィを利用してディジタル情報をディスク５０に記録する役割を果たす。この際、記録する情報信号はコントローラ３８９によって信号発生回路３８６を介してピックアップ２００内の空間光変調器（以下、ＳＬＭ（Ｓｐａｔｉａｌ  Ｌｉｇｈｔ  Ｍｏｄｕｌａｔｏｒ）と記す）に送られ、信号光は空間光変調器によって変調される。【００２４】
ディスク５０に記録した情報を再生する場合は、ピックアップ２００から出射された参照光を記録時とは逆の向きに光情報記録媒体に入射させる光波を再生用参照光光学系３１２にて生成する。再生用参照光によって再生される再生光をピックアップ２００内の後述する光検出器（以下、カメラと記す）によって検出し、信号処理回路３８５によって信号を再生する。【００２５】
ディスク５０に照射する参照光（後述１１１）と信号光（同１０１）の照射時間は、ピックアップ２００内のシャッタ部３０の開閉時間をコントローラ３８９によってシャッタ制御回路３８７を介して制御することで調整できる。【００２６】
キュア系７０はディスク５０のプリキュアおよびポストキュアに用いるキュア用光ビーム（後述７０a）を生成する役割を果たす。プリキュアとは、ディスク５０内の所望の位置に情報を記録する際、所望位置に参照光と信号光を照射する前にディスクの活性化等を図るために、予め所定の光ビームを照射する前工程である。ポストキュアとは、ディスク５０内の所望の位置に情報を記録した後、該所望の位置に追記不可能とするために定着用に所定の光ビームを照射する後工程である。【００２７】
ディスク回転角度検出用光学系３１４はディスク５０の回転角度を検出するために用いられる。ディスク５０を所定の回転角度に調整する場合は、ディスク回転角度検出用光学系３１４によって回転角度に応じた信号を検出し、検出された信号を用いてコントローラ３８９によってディスク回転モータ制御回路３８８を介してディスク５０の回転角度を制御する。【００２８】
光源駆動回路３８２からは所定の光源駆動電流がピックアップ２００、キュア系７０、ディスク回転角度検出用光学系３１４内の光源に供給され、各々の光源からは所定の光量で光ビームを発光することができる。【００２９】
また、ピックアップ２００、そして、ディスクのキュア系７０に対して、ディスク５０が半径方向に位置をスライドできる機構が設けられており（図示せず）、アクセス制御回路３８１を介してディスクの位置制御が行われる。【００３０】
ところで、ホログラフィの角度多重の原理を利用した記録技術は、参照光角度のずれに対する許容誤差が極めて小さくなる傾向がある。【００３１】
従って、ピックアップ２００内に、参照光角度のずれ量を検出する機構を設けて、サーボ信号生成回路３８３にてサーボ制御用の信号を生成し、サーボ制御回路３８４を介して前記ずれ量を補正するためのサーボ機構を光情報記録再生装置３００内に備えることが必要となる。【００３２】
ここで、ピックアップ２００、キュア系７０、ディスク回転角度検出用光学系３１４は、いくつかの光学系構成または全ての光学系構成をひとつに纏めて簡素化しても構わない。【００３３】
図１は、本発明の第一の実施形態を示す光情報記録再生装置３００（前出、図２）におけるピックアップ２００の基本的な光学系構成の一例における記録原理を示したものである。レーザー光源１を出射した光ビーム１００は光学系２を透過し、シャッタ部３０に入射する。ここで、前記の通りシャッタ部３０はメカニカルシャッタ３aと、液晶素子を用いた液晶シャッタ４ａから成る。メカニカルシャッタ３a、液晶シャッタ４aは光ビーム１００に対して遮光、透過が可能なように後述のアクチュエータによってＸ方向に動くことが可能な構造となっている。また液晶シャッタ４ａの後方にはプリズム５が配置される。液晶シャッタ４ａが液晶ＯＮ/ＯＦＦ制御回路４ＣによりＯＮ状態になった際（図１の状態はＯＦＦ時）、前記プリズム５との組み合わせによりビーム光を遮断する機能を有している。【００３４】
プリズム５を通る光ビーム１００は、直進して後述ＰＢＳプリズムに向かう光と、前記プリズム５にて略直角方向に折り曲げられる光１２１に分岐され、センサ１２２により、前記シャッタ部３０が所定の動作を行っているか否かを検出する。このセンサ１２２は、シャッタ部の動作を検出可能なセンサであればよく、種類、構造、検出方法は特に限定されない。一例としては、一般的な受光素子、光検出器、フロントモニタ、などが考えられる。【００３５】
ここで図1の状態、つまりメカニカルシャッタ３ａがＯｐｅｎ、つまりシャッタＯＦＦ状態、さらに液晶シャッタ４ａがＯＦＦ状態では、光ビーム１００は前記両シャッタを通過する。つまりシャッタ３０が開いている時は、光ビーム１００はシャッタ３０を通過し、シャッタの後方に配置されたプリズム５を通過する。その後、例えば２分の１波長板などで構成される図示しない光学素子等によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム６に入射する。【００３６】
ここで、本実施例におけるシャッタ部３０について詳説する。シャッタ３０部は、機械式に往復運動、回転運動、開閉動作等の少なくともひとつ以上の動作をするメカニカルシャッタ３ａと、該メカニカルシャッタ３ａを駆動し、レーザー光源1より照射された光ビーム１００を遮断、もしくは通過させるためのアクチュエータ３ｂ、該アクチュエータ３ｂを制御するシャッタ制御回路３８７、また、液晶素子を用い、光ビームの透過、遮断を行う液晶シャッタ４ａ、液晶シャッタ４ａ自身をＯＮ/ＯＦＦ制御する液晶ＯＮ/ＯＦＦ制御回路４ｃ、該液晶ＯＮ/ＯＦＦ制御回路４ｃを制御するシャッタ制御回路３８７、さらに該液晶シャッタ４ａをビーム光１００の光路から（機械的に）退避させるための液晶シャッタ移動用アクチュエータ４ｂと、該アクチュエータ４ｂを制御するシャッタ制御回路３８７から構成される。なお、簡便のため、アクチュエータ３ｂ、アクチュエータ４ｂ、液晶ＯＮ/ＯＦＦ制御回路４ｃの制御はシャッタ制御回路３８７にて行われる旨述べたが、もちろん、これらの制御は別々の回路を用いて行われても構わない。【００３７】
これらの構成により前記の通りメカニカルシャッタ３a、液晶シャッタ４aは光ビーム１００に対して遮光、透過が可能なようにＸ方向に動くことが可能である。【００３８】
なお、本発明において、メカニカルシャッタ３aと液晶シャッタ４aの配置順はこれに限られず、逆の順番であってもよい。ただし、メカニカルシャッタ３aが液晶シャッタ４aよりもレーザー光源側に配置されている方が、レーザー光源による“液晶焼け”の影響が減少し液晶シャッタの高寿命化の観点からも望ましい。【００３９】
またここで、シャッタ制御回路３８７は前述図２で説明したものと同様なものである。【００４０】
また、メカニカルシャッタ３ａと液晶シャッタ４ａの動作パターンについての詳細は後述する。【００４１】
ＰＢＳプリズム６によって信号光１０１と参照光１１１に分岐される。次にＰＢＳプリズム６を透過した光ビームは、信号光１０１として働き、光学系１１、例えば図示しないビームエキスパンダによって光ビーム径が拡大された後、位相マスク、リレーレンズを経て、ＰＢＳプリズム１２、１３を透過してＳＬＭ１５に入射する。【００４２】
ＳＬＭ１５によって情報が付加された信号光は、（ＰＢＳ）プリズム１３を反射し、例えばミラー１６を経由し光路を調整しつつ、光学系１７を通過する。ここで光学系１７には一例として図示しないリレーレンズならびに空間フィルタ３１４が含まれた構成となっている。その後、信号光１０１は対物レンズ１８によってディスク５０に集光する。【００４３】
一方、ＰＢＳプリズム６を反射した光ビームは参照光１１１として働き、ミラー２０により方向を変化させた後、図示しない偏光方向変換素子等からなる光学系２１を透過することで記録時または再生時に応じて所定の偏光方向に設定された後、ミラー２２を経由してガルバノミラー２５に入射する。ガルバノミラー２３は図示しないアクチュエータによって角度を調整可能のため、光学系２４を通過した後にディスク１に入射する参照光の入射角度を、所望の角度に設定することができる。なお、参照光の入射角度を設定するために、ガルバノミラーに代えて、参照光の波面を変換する素子を用いても構わない。【００４４】
このように信号光と参照光とをディスク５０において、互いに重ね合うように入射させることで、記録媒体であるディスク５０内には干渉縞パターンが形成され、このパターンを記録媒体に書き込むことで情報を記録する。また、ガルバノミラー２３によってディスク５０に入射する参照光の入射角度を変化させることができるため、角度多重による記録が可能となる。【００４５】
以降、同じ領域に参照光角度を変えて記録されたホログラムにおいて、１つ１つの参照光角度に対応したホログラムをページと呼び、同領域に角度多重されたページの集合をブックと呼ぶことにする。【００４６】
図３は、光情報記録再生装置３００におけるピックアップ２００の基本的な光学系構成の一例における再生原理を示したものである。記録した情報を再生する場合は、前述したように参照光をディスク５０に入射し、ディスク５０を透過した光ビームを、図示しないアクチュエータによって角度調整可能なガルバノミラー２５にて反射させることで、その再生用参照光を生成する。【００４７】
この再生用参照光によって再生された再生光は、対物レンズ１８、図示しないリレーレンズならびに空間フィルタ等からなる光学系１７を伝播する。その後、再生光は（ＰＢＳ）プリズム１３を透過して光検出器（以下、カメラと記す）１４に入射し、記録した信号を再生することができる。カメラ１４としては例えばＣＭＯＳイメージセンサーやＣＣＤイメージセンサーなどの撮像素子を用いることができるが、ページデータを再生可能であれば、どのような素子であっても構わない。【００４８】
以降、前述のメカニカルシャッタと液晶シャッタの動作モードについて図４〜図１０を用いて詳説する。【００４９】
図４は説明のため、図１、図３に示す破線で囲まれたシャッタ３０部を抜き出した図あり、本図４では再生モード時としてメカニカルシャッタ３ａ、液晶シャッタ４ａ共に光ビーム１００を遮らないようにそれぞれメカニカルシャッタ退避用アクチュエータ３ｂ、液晶シャッタ移動用アクチュエータ４ｂにより退避している状態を示す。また本図４では、液晶シャッタ４ａ自身もＯＮ/ＯＦＦ制御回路により，ＯＦＦ状態になってることを示している（前掲図３の状態）。【００５０】
図５（ａ）は、メカニカルシャッタＯＮ、液晶シャッタが光ビームの光路に対して挿入、液晶シャッタがＯＦＦ状態を示している。結果として、光ビーム１００は遮断状態となる。【００５１】
図５（ｂ）は、メカニカルシャッタＯＮ、液晶シャッタが光ビームの光路に対して退避、液晶シャッタがＯＦＦ状態を示している。結果として、光ビーム１００は遮断状態となる。【００５２】
このように、メカニカルシャッタは液晶シャッタより光ビームの発光元側にある（図示しないレーザー光源側にある）ため、メカニカルシャッタ３ａがＯＮ状態、つまり光ビームの光路を遮断するように動作した場合、液晶シャッタの動作モードに依らず光ビームの遮断をすることができる。【００５３】
また本図５（ａ），（ｂ）では液晶シャッタはＯＦＦ状態であるが、光ビームの遮断には関与していないのでＯＮ状態に遷移していても構わない。【００５４】
また、液晶シャッタ４ａが光ビームの光路に対して挿入状態で、メカニカルシャッタ３ａが光ビームの光路から退避した状態を考えると、常時液晶シャッタ４ａには、そのＯＮ/ＯＦＦ状態に関わらず、光ビームが照射されることになり、光ビームが特に高出力レーザーからの出射光である場合、液晶シャッタの液晶素子を傷めてしまう可能性がある。そのため例えば再生時には、不要に長時間に亘って液晶シャッタに光ビームを当てないためにも液晶シャッタを光ビームから退避させる本構造が有効となる。【００５５】
図６、図７は、シャッタ３０の別なモードについての説明図である。ここでは一例として、記録モード時の状態を示している。【００５６】
メカニカルシャッタ３ａは退避、つまりＯＦＦ状態、また、光ビーム１００をディスクまで透過させる必要があるため液晶シャッタは光ビームの光路に対して挿入、さらに情報の記録中のため液晶シャッタもＯＦＦ状態を示している。【００５７】
一方、図７では記録モード時ではあるがディスクに情報を記録してはいけないページ移動中、もしくはブック移動中の様子を示している。メカニカルシャッタ３ａは前図６同様にＯＦＦ状態であるが、記録情報のページ移動、もしくはブック移動中で記録を一旦中断している場合なので、ＯＮ／ＯＦＦの応答性の高速な液晶シャッタを光路に対して挿入し、さらに液晶シャッタをＯＮ状態にしている様子を示している。特にページ移動は情報の高速記録を実現するため、例えばμ（マイクロ）秒単位の高速で行われるため、イナーシャを持つメカニカルシャッタでは、高速なシャッタ動作に追従できす、さらに高速化に伴う不要な振動がメカニカルシャッタに生じ、情報の高速記録の足かせとなっていた。【００５８】
さらに、光情報記録再生装置の場合、再生、記録モード以外にも、
（１）電源を投入しレーザー安定化のため装置自体をＯＮ状態にしているモード、
（２）前記（１）でレーザー安定化後に記録または再生待ちとなるスタンバイモード、
（３）装置にディスクをローディング、もしくはアンローディングしているモード、
（４）ディスクをキュアしているモード、
等があり、前記（１）〜（４）のモードでは、ディスクに照射する不要な光ビームを遮断しなければならない。【００５９】
ここで、光情報記録再生装置の各種モードに対する望ましいシャッタの状態を整理し一例として図８〜図１０に示す。【００６０】
図８は上記（１）〜（４）の装置状態でのメカニカルシャッタおよび液晶シャッタの状態を纏めた図、図９は記録時のメカニカルシャッタおよび液晶シャッタの状態を纏めた図、図１０は再生時のメカニカルシャッタおよび液晶シャッタの状態を纏めた図、である。【００６１】
ここで、前述図５（ａ）、図５（ｂ）では、液晶シャッタ４ａはＯＦＦ状態の図を示しているが、これは、メカニカルシャッタ３ａがＯＮ状態なので、液晶シャッタ４ａはＯＮ状態でもＯＦＦ状態でも、また、液晶シャッタ４ａが挿入または退避されてい状態であっても、光ビームの遮断という観点からはどちらでも構わない。そこで、制御性、消費電力が少ない、液晶素子の発熱状態、等を鑑みて装置としてＯＮ/ＯＦＦまたは、挿入または退避の何れの状態か適切な方を選択すれば良い。  なお、電源投入の際、スタンバイ時、ローディング時は、液晶シャッタは退避させておいても良い。これにより、次の動作が再生処理の場合、次に行う再生動作を迅速に開始することができる。【００６２】
また、キュアを行う際は、とりわけ、プリキュアを行う際は、液晶シャッタは光路に挿入されておいてもよい。これにより、次に行う記録動作を迅速に開始することが可能となる。【００６３】
以上、メカニカルシャッタと液晶シャッタを組み合わせて配置することにより、高い安定性、信頼性、長寿命を実現するメカニカルシャッタの特徴と、高速な液晶素子のＯＮ/ＯＦＦ動作が可能な液晶シャッタと、お互いの特徴を活かすことで、光情報記録再生装置としても、高い安定性、信頼性、長寿命、さらに高速記録の対応を可能とする。【００６４】
ここで、本実施例によるメカニカルシャッタと液晶シャッタの動作フローを図１９を用いて説明する。【００６５】
図１９は、ホログラフィを利用した光情報記録再生装置３００における記録、再生の動作フローを示したものである。【００６６】
図１９（ａ）は、光情報記録再生装置３００に光情報記録媒体であるディスク５０を挿入した後、記録または再生の準備が完了するまでの動作フローを示し、図１９（ｂ）は準備完了状態から光情報記録媒体１に情報を記録するまでの動作フロー、図１９（ｃ）は準備完了状態からディスク５０に記録した情報を再生するまでの動作フローを示したものである。
また図１９（ｄ）に、図１９（ａ）に示すシャッタモード設定６０１部の詳細フローを示す。【００６７】
図１９（ａ）に示すようにディスク５０を挿入すると光情報記録再生装置３００の処理が開始する（６００）、まずディスク５０がどのようなディスクかを判別するため、ディスク信号読み取りモード、つまり再生モードに入るため、シャッタ３０は、前記図１０に示した状態が選択され（６０１）、光情報記録再生装置３００は、例えば挿入されたディスク状媒体がホログラフィを利用してデジタル情報を記録または再生する媒体であるかどうかディスク判別を行う（６０２）。【００６８】
ディスク判別の結果、ホログラフィを利用してデジタル情報を記録または再生に対応するであると判断されると、光情報記録再生装置３００はディスク５０に設けられたコントロールデータを読み出し（６０３）、例えばディスク５０に関する情報や、例えば記録や再生時における各種設定条件に関する情報を取得する。【００６９】
コントロールデータの読み出し後は、コントロールデータに応じた各種調整やピックアップ２００に関わる学習処理（６０４）を行い、さらにシャッタ３０におけるメカニカルシャッタ３a、および液晶シャッタ４aは前述図１０に示す再生時のシャッタ動作パターンを決定し（６０５）ながら、再生モードおよび／または記録モードで学習処理を続ける。学習処理（６０４）が終了すると、光情報記録再生装置３００は、記録または再生の準備を完了する（６０６）。【００７０】
準備完了状態から情報を記録するまでの動作フローは図１９（ｂ）に示すように、まず、シャッタ３０の設定を前記図９に示す記録時モードにし（６１１）、記録するデータを受信して（６１２）、該データに応じた情報をピックアップ２００内の空間光変調器（ＳＬＭ）１５に送る。【００７１】
その後、光情報記録媒体に高品質の情報を記録できるように、必要に応じて例えばレーザー光源１のパワー最適化やシャッタ３０による露光時間の最適化等の各種記録用学習処理を事前に行う（６１３）。【００７２】
その後、シーク動作（６１４）ではアクセス制御回路３８１を制御して、ピックアップ２００ならびにキュア系７０の位置に対し、ディスク５０を所定の位置に位置づけする。このシーク動作時のシャッタモードは通常、再生時モードと同様な設定が一般的である。ディスク５０がアドレス情報（ＣＤやＤＶＤで言うＴＯＣ（Ｔａｂｌｅ  Ｏｆ  Ｃｏｎｔｅｎｔｓ））を持つ場合には、アドレス情報を再生し、目的の位置に位置づけされているか確認し、目的の位置に配置されていなければ、所定の位置とのずれ量を算出し、再度位置づけする動作を繰り返す。【００７３】
一方、ディスク５０がＴＯＣ情報を持ち、シーク動作時の最初にディスク上のＴＯＣ情報を読み込み、所定位置までピックアップ２００ならびにキュア系７０の位置に対し、ディスク５０を所定の位置に近づける間（粗調整時）については、シャッタはＯＮ状態であっても構わない。【００７４】
その後、キュア系７０から出射する光ビーム７０aを用いて所定の領域をプリキュアするため（６１６）に、事前にシャッタ３０はシャッタモードを図８に示すキュアモードに設定する（６１５）。プリキュア（６１６）を行った後は、シャッタ３０はシャッタモードを図９に示す記録モードに設定する（６１７）。そして、ピックアップ２００から出射する信号光１０１と参照光１１１を用いてデータを記録する（６１６８）。【００７５】
データを記録した後は、再びシャッタモードを図８に示すキュアモードに設定し（６１９）、キュア系７０から出射する光ビーム７０aを用いてポストキュアを行う（６２０）。ここで必要に応じてデータをベリファイしても構わない。【００７６】
準備完了状態から記録された情報を再生するまでの動作フローは図１９（ｃ）に示すように、まずシーク動作（６３２）用にシャッタモードを設定する（６３１）。ここでシーク動作（６３２）用のシャッタモードは、一般的には図１０に示す再生時モードと同様である。シーク動作（６３２）では、アクセス制御回路３８１を制御して、ピックアップ２００ならびに前述２１、２４の光学系を含んだ再生用参照光光学系の所定の位置にディスク５０を位置づけする。ディスク５０がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００７７】
その後、ピックアップ１１から参照光を出射し、光情報記録媒体に記録された情報を読み出し（６３３）、再生データを送信する（６３４）。【００７８】
次に、光情報記録再生装置３００の電源投入後、記録または再生開始までの動作フローを図１９（ｄ）を用いて説明する。【００７９】
装置の電源が投入された後（６４０）、シャッタ３０はシャッタモードは図８に示す電源投入時モードに設定する（６４１）。本実施例による光情報記録再生装置では、装置電源ＯＮによりレーザー光源からの光ビームが出射させる際、例えば図示しないレーザー光源部分の光モニタにより、光ビームの波長やパワーをモニタし、記録および再生に必要とされる波長やパワーが安定した後（６４２のＹｅｓ時）、シャッターモードの設定を前記図１０に示す再生時モードへと遷移させる。これは、光ビームのパワーや波長が不安定な状態で、ディスク５０に光ビームを照射させると、正確な信号情報の情報のやりとりが行えないためである。【００８０】
なお、波長やパワーが安定とは、例えば、レーザーの波長やパワーが所定の誤差の範囲内となる場合と設定してもよい。または、光ビームの波長やパワーをモニタするのでは無く、装置電源ＯＮまたはレーザー光源がＯＮしてから所定時間が経過した場合に波長やパワーが安定したと判別する構成であっても構わない。【００８１】
また、図１９（ｄ）のような構成により、レーザーの波長やパワーが安定化するまでに多くの時間を要する装置において、液晶素子等の寿命を延ばすことが可能となる。【００８２】
次に、ホログラムのページ間移動中のシャッタ動作について記載する。ホログラムを用いた光情報記録再生装置では、例えば、各ページに対応した一つ、もしくは複数の参照光角度を予め計算、もしくはテーブルにデータとして持っている。この参照光角度データ、およびテーブルは例えばコントローラ３８９、サーボ信号生成回路３８３、乃至サーボ制御回路３８４に備えられている。本実施の形態では特にデータ記録時、シャッタはメカニカルシャッタが退避状態で、液晶シャッタのみをＯＮ/ＯＦＦ駆動させている。その場合、ある一定の参照光角度で設定された前記図１に示すガルバノミラー２３の角度が定まった後に液晶シャッタがＯＦＦとなり信号光１０１と参照光１１１がディスク５０に照射され干渉が起こることでひとつのホログラムのページが形成される。引き続き次のページのホログラムを形成する時は、液晶シャッタがＯＮ、つまり光ビームが射光された状態になった後にガルバノミラー２３が次の角度位置まで角度を変化させ、その角度が定まった時に、再び液晶シャッタがＯＦＦ、つまり信号光１０１と参照光１１１がディスク５０に照射され、引き続き新たなホログラムのページが形成される。これを繰り返し、予め設定された複数ページのホログラムの形成を行う。【００８３】
図２０のフローを用いて説明する。図２０は前記図１９（ｂ）において、シャッタモード設定（記録モード）（６１７）及び、データ記録（６１８）を詳説したものである。【００８４】
プリキュア（６１６）の処理、つまりディスク記録部分の活性化が図られた後、シャッタモード設定（記録モード）（６１７）として、記録準備に向けて改めて慣性の大きなメカニカルシャッタ３aが退避（６１７（ａ））し、液晶シャッタが閉じられる（ＯＮ状態）(６１７（ｂ）)。引き続き、データ記録（６１８）として、ディスク上でデータを記録する所定の位置（ブック位置）に信号光１０１、参照光１１１が照射されるようにディスクを回転させるモータ６０の位置を正確に移動させる（６１８（ａ））。次にディスク５０上にホログラムを形成するページ位置に対応すべく、参照光角度を制御すべくガルバノミラー２２制御用の角度データの読込みが行われ（６１８（ｂ））、ガルバノミラー２の角度設定、つまりページ設定が行われる（６１８（ｃ））。例えば、参照光がディスクに入射する角度は第１の角度にが設定される。【００８５】
引き続き、液晶シャッター４aをＯＦＦにし（６１８（ｄ））、光ビームを透過することでディスク上にホログラムを形成する（６１８（ｅ））。ひとつのページデータの記録が終了すると、液晶シャッタがＯＮ状態つまり遮光状態に遷移し、次のページ記録の要否（６１８（ｇ））の判定を行う。ここで、次のページに対応する参照光の入射角度は第１の角度とは異なる第２の参照光角度となる。そして、記録ブックの確認を行い（６１８（ｈ））、ポストキュア処理を行なう（６１９）。そして終了する（６２０）。【００８６】
このように、図２０のようなフローに従えば、高速に記録動作を行うことが出来るとともに、液晶素子の高寿命化を図ることが出来る。【００８７】
ここで、本第１の実施の形態では、メカニカルシャッタと組み合わせて配置するシャッタを電子デバイスである液晶素子、つまり液晶シャッタを用いる例について記述しているが、本発明の適用は液晶素子に限られず、例えば電子ペーパー、ＬＣＯＳ（Ｌｉｑｕｉｄ  Ｃｒｙｓｔａｌ  ｏｎ  Ｓｉｌｉｃｏｎ）を用いたシャッタを組み合わせても構わない。このことは以下の実施例においても同等である。【００８８】
以上本実施例によれば、寿命が長く信頼性・安定性の高いシャッターユニットを有する光情報記録光情報再生装置提供することが出来る。【００８９】
また、シャッタ３０部はレーザー光源と信号光と参照光を分岐するプリズムの間に配置されているため、信号光１０１、参照光１１１を纏めて射光または通過させることができるため、不要な時に信号光１０１または参照光１１１がディスク５０に照射され、ディスクが不用意に反応することも防ぐことが可能である。
【実施例２】
【００９０】
引き続き第２の実施の形態について図１１（ａ），（ｂ）、図１２（ａ），（ｂ）を用いて説明する。【００９１】
図１１（ａ），（ｂ）、図１２（ａ），（ｂ）は前述までのメカニカルシャッタ部分を、別の形態に置き換えた図を示している。ここで図１１（ａ）、図１２（ａ）は、本第２の実施形態のメカニカルシャッタを光ビーム照射側から見た図であり、一方、図１１（ｂ）、図１２（ｂ）は同じく光ビーム照射方向に対して略直交方向から見た図、である。【００９２】
１００は図示しないレーザー光源から出射される光ビーム、１５１はメカニカルシャッタ、１５０はメカニカルシャッタを駆動するための回転、もしくは回動式のアクチュエータ、１５０ａは前記回転、もしくは回動式のアクチュエータの回転もしくは回動軸であり、この軸１５０ａでメカニカルシャッタ１５１と一体固定されている。【００９３】
図１１（ａ），（ｂ）はメカニカルシャッタ１５１により、光ビーム１００が遮断、つまりメカニカルシャッタがＯＮ状態の図であり、図１２（ａ），（ｂ）はアクチュエータ１５０の回転もしくは回動軸１５０ａが矢印Ｂ方向に移動した図を示している。この時、メカニカルシャッタはＯＦＦ状態で、光ビーム１００はメカニカルシャッタ１５１に遮られることなく進行する。【００９４】
以降の光ビーム１００の進行については、前述第１の実施の形態と同様であり、前述図８〜図１０の装置モードの遷移によるメカニカルシャッタ、液晶シャッタも同様な組み合わせ動作が可能であり、本第２の実施形態においても、前述第１の実施の形態同様の効果を実現することが可能である。【００９５】
本第２の実施形態では、前記第１の実施形態に比べ光ビームの厚み方向に装置を薄くできる、また、メカニカルシャッタ駆動用アクチェータと液晶シャッタ移動用アクチェータを兼用することができるため、装置の薄型化、部品点数削減による低コスト化の効果もある。
【実施例３】
【００９６】
引き続き第３の実施の形態について図１３（ａ），（ｂ）、図１４（ａ），（ｂ）、図１５（ａ），（ｂ）、図１６（ａ），（ｂ）、図１７（ａ），（ｂ）を用いて説明する。【００９７】
ここで、３ｃは液晶素子から成る液晶シャッタ、３ｄは遮光板等から成るメカニカルシャッタ、であり、液晶シャッタ３ｃとメカニカルシャッタ３ｄは構造的に一体構造となっており、光ビーム１００に対し、略直交した配置構成となっている。また３ｅは液晶シャッタ３ｃとメカニカルシャッタ３ｄの一体構成させたユニットを光ビーム１００に対し、同図中Ｘ方向に退避もしくは挿入するためのメカニカルシャッタ/液晶シャッタ切替用のアクチュエータ、である。【００９８】
図１３（ａ），（ｂ）は示した光情報記録再生装置のモードが前述図９に示した記録時のモードに相当する。図１３（ａ）は通常記録時でメカニカルシャッタＯＦＦで液晶シャッタは光ビームの光路に対して挿入され、さらに液晶シャッタはＯＦＦの状態を、図１３（ｂ）はページ移動時またはブック移動時の場合でメカニカルシャッタＯＦＦ、さらに液晶シャッタはＯＮ状態、をそれぞれ示している。【００９９】
図１４（ａ），（ｂ）は示した光情報記録再生装置のモードが前述図８に示した装置の各モード（電源投入時、あるいはスタンバイ、ディスクローディング、キュア時）に相当する。図１４（ａ）は図８のそれぞれのモードでメカニカルシャッタ３ｄがＯＮで、光ビーム１００の光路に対して挿入された状態、加えて液晶シャッタ３ｃはＯＦＦの状態を示し、図１４（ｂ）は同じく図８のそれぞれのモードでメカニカルシャッタ３ｄがＯＮで液晶シャッタ３ｃのＯＮ状態、をそれぞれ示している。【０１００】
本図１４（ｂ）では、前記第１の実施の形態同様、液晶シャッタ３ｃはＯＮ状態でもＯＦＦ状態でも光ビームの遮断という観点からはどちらでも構わないが、制御性、消費電力が少ない、液晶素子の発熱状態、等を鑑みて装置としてＯＮ/ＯＦＦ何れの状態か適切な方を選択すれば良い。【０１０１】
図１５（ａ），（ｂ）は、液晶シャッタ３ｃ、メカニカルシャッタ３ｄ共にメカニカルシャッタ/液晶シャッタ切替用のアクチュエータ３eにより光ビーム１００から退避している様子を示しており、これは前出、図１０の再生モード時の様子を示している。【０１０２】
図１６（ａ），（ｂ）、図１７（ａ），（ｂ）は、それぞれ前述図１４（ａ），（ｂ）、図１３（ａ），（ｂ）において、メカニカルシャッタ、および液晶シャッタの位置をお互いに入れ替えた構成であり、それぞれの使用される装置のモードは前述図１４（すなわち図８）、図１３（すなわち図９）の場合と同様であるのでここでの説明は省略する。【０１０３】
また本図１３〜図１４ではメカニカルシャッタ、液晶シャッタは往復式のメカニカルシャッタ/液晶シャッタ切替用アクチュエータによってスライド式に移動する構造について示しているが、これに限られず、円盤状の板の一部に液晶シャッタを組み込み、同じく液晶シャッタと同心円上に光ビームを
透過する穴、を設けた構造とし、その円盤の中心軸を回転させる構造としても、同様な効果を得ることが可能である。この形態の概略図を図１８に示す。図１８において、１８０は円盤シャッタ、１８１は図示しない回転式、もしくは回動式のアクチュエータの回転軸（回動軸）、１８２は液晶シャッタ、１８３は前記円盤シャッタ上に設けられた貫通穴、１００は光ビーム、を示している。本図１８では光ビーム１００は、貫通穴１８２を通り、以降図示しない信号光、および／または参照光に分岐される。【０１０４】
この円盤シャッタ１８０の回転（回動）制御、液晶シャッタ１８２のＯＮ/ＯＦＦ制御をこれまで述べた装置各モードに対応するように制御すれば、前述第１乃至第３の実施の形態同様の効果を得ることが可能となる。【０１０５】
以上の構成により、高信頼性、高安定性、さらには高速駆動が可能なシャッタユニットを実現することができ、ひいては光情報記録再生装置としても高信頼性、高安定性、高速情報記録の実現化を図ることが可能となる。【０１０６】
ここで本第３の実施の形態では、前記第１の実施形態、前記第２の実施形態と比較し、構造が簡素化できるため低コスト化が可能、メンテナンスも容易であるという効果がある。
【実施例４】
【０１０７】
引き続き、第４の実施の形態について説明する。図２１は、実施例４に対応するピックアップ２００の光学系構成を示す図であり、図１とは、メカニカルシャッタ３aとメカニカルシャッタ３aを駆動するアクチュエータ３ｂが無い点で異なる。つまり、シャッタユニットは、メカニカルシャッタを含まないで液晶シャッタを有する。光学系上の相違点について、この点以外は図１と同様であるため説明を省略する。【０１０８】
図２２は記録時の液晶シャッタの状態を纏めた図、図２３は再生時の液晶シャッタの状態を纏めた図、である。記録の際は、液晶シャッタは光路に挿入されている。再生の際は、液晶シャッタはアクチュエータ４ｂが移動させることにより光路から退避している。【０１０９】
図２４に記録の際のフローの一例を示す。処理が開始すると（２４０１）、液晶シャッタをＯＮ状態にして（２４０２）、プリキュア（２４０３）を行う。次に、光情報記録媒体上でデータを記録する目標のブック位置に信号光１０１、参照光１１１が照射されるように、光情報記録媒体５０上を回転させるモータ６０の位置を移動させる（２４０４）。なお、当該目標の位置は２４０３でプリキュアを行なった領域となる。【０１１０】
次に光情報記録媒体５０上にページデータを記録するために、参照光角度を制御すべくガルバノミラー２２の制御用の角度データの読込みが行われる（２４０５）。そして、ガルバノミラー２の角度設定、つまりページ設定が行われる（２４０６）。例えば、参照光がディスクに入射する角度は第１の角度にが設定される。【０１１１】
引き続き、液晶シャッター４aをＯＦＦにし（２４０７）、光ビームを透過させること光情報記録媒体上にデータを形成する（２４０８）。ひとつのページデータの記録が終了すると、液晶シャッタがＯＮ状態つまり遮光状態に遷移し（２４０９）、次のページ記録の要否の判定を行う（２４１０）。ここで、次のページに対応する参照光の入射角度は第１の角度とは異なる第２の参照光角度となる。そして、記録ブックの確認を行い（２４１１）、ポストキュア処理（２４１２）が行われる。そして、処理が終了する（２４１３）。【０１１２】
以上本実施例によれば、液晶シャッタを光路から退避させることにより、液晶シャッタの高寿命化が図れるとともに、高速に記録をすることが可能となる。また、実施例１に比べ装置の小型化が図れる。【０１１３】
また、これまで説明した前記第１から第４の実施の形態ではホログラフィを用いた光情報記録再生装置として、一例として角度多重記録および／または再生方式を用いた光情報記録再生装置に適用した場合に付いて記述したきたが、本発明の適用範囲はこれに限られず、例えばモノキュラー光学系を用いた光情報記録再生装置、コリニア方式も含むシフト多重記録方式を用いた光情報記録再生装置、信号光と参照光を記録媒体であるディスクに対し対向して照射するマイクロホログラム方式を用いた光情報記録再生装置、に適用することも可能である。【０１１４】
また、本発明による第１から第４の実施の形態では、メカニカルシャッタと液晶シャッタは、信号光と参照光に分岐される前段階の位置に配置した例について記述したが、例えば、光検出器（カメラ）の前側に配置し、光検出器（カメラ）用のシャッタとして機能させる光情報記録再生装置としても構わない。【０１１５】
また、本発明による第１から第４の実施の形態では、メカニカルシャッタと液晶シャッタは、信号光と参照光に分岐される前段階の位置に配置した例について記述したが、図１に示す光学系２よりレーザー光源寄りに配置しても構わないので、レーザー光源と、メカニカルシャッタと液晶シャッタからなるシャッタユニットを包含し、ひとつに纏めたレーザーユニットとした構成であっても構わない。【０１１６】
また本実施の形態では、本発明のシャッタ機能を光情報記録およびまたは記録再生装置に適用した場合について述べたが、適用の範囲はこれに限定されるものではなく、高速、高信頼性、高安定性の求められるデジタルカメラ等のシャッタ構成や、レーザー光源を用いた工作機械や露光装置等にも適用することが可能である。
【符号の説明】
【０１１７】
１…レーザー光源、２、１１、１７、２１、２４…光学系、
３…シャッタ部
３ａ…メカニカルシャッタ、３ｂ…メカニカルシャッタ駆動用アクチュエータ、
４ａ…液晶シャッタ、４ｂ…液晶シャッタ移動用アクチュエータ、
４ｃ…液晶ＯＮ/ＯＦＦ制御回路、
５、６…プリズム、
１４・・・光検出器（カメラ）、
１５・・・空間光変調器（ＳＬＭ）、
５０…光情報記録媒体（ディスク）、６０…ディスクモータ、７０…キュア系
１００光ビーム、１０１…信号光、１１１…参照光
１５０…メカニカルシャッタ駆動用アクチュエータ、
１５０ａ…メカニカルシャッタ駆動用アクチュエータ１５０の駆動軸
１５１…メカニカルシャッタ
１８０…円盤シャッタ
１８２…液晶シャッタ
１８３…貫通穴
２００…ピックアップ
３００…光情報記録再生装置、
【図１】
2014091571.tif 000003
【図２】
2014091571.tif 000004
【図３】
2014091571.tif 000005
【図４】
2014091571.tif 000006
【図５（ａ）】
2014091571.tif 000007
【図５（ｂ）】
2014091571.tif 000008
【図６】
2014091571.tif 000009
【図７】
2014091571.tif 000010
【図８】
2014091571.tif 000011
【図９】
2014091571.tif 000012
【図１０】
2014091571.tif 000013
【図１１（ａ）】
2014091571.tif 000014
【図１１（ｂ）】
2014091571.tif 000015
【図１２（ａ）】
2014091571.tif 000016
【図１２（ｂ）】
2014091571.tif 000017
【図１３（ａ）】
2014091571.tif 000018
【図１３（ｂ）】
2014091571.tif 000019
【図１４（ａ）】
2014091571.tif 000020
【図１４（ｂ）】
2014091571.tif 000021
【図１５（ａ）】
2014091571.tif 000022
【図１５（ｂ）】
2014091571.tif 000023
【図１６（ａ）】
2014091571.tif 000024
【図１６（ｂ）】
2014091571.tif 000025
【図１７（ａ）】
2014091571.tif 000026
【図１７（ｂ）】
2014091571.tif 000027
【図１８】
2014091571.tif 000028
【図１９（ａ）】
2014091571.tif 000029
【図１９（ｂ）】
2014091571.tif 000030
【図１９（ｃ）】
2014091571.tif 000031
【図１９（ｄ）】
2014091571.tif 000032
【図２０】
2014091571.tif 000033
【図２１】
2014091571.tif 000034
【図２２】
2014091571.tif 000035
【図２３】
2014091571.tif 000036
【図２４】
2014091571.tif 000037
【国際調査報告】
2014091571.tif 000038
2014091571.tif 000039
2014091571.tif 000040
2014091571.tif 000041